(57)【要約】【課題】ディスプレイ機器における機能を個別にロックする手段を備えることにより必要最小限の機能だけをロックできるようにすること。【解決手段】ディスプレイと、ディスプレイの各種機能を制御する機能制御部と、各種機能のロックを設定および解除するロック状態制御部と、を備えるディスプレイ機器であって、操作部の操作によりロックの設定可能な機能をディスプレイに表示し、表示されたロック設定可能な機能の中からロック設定したい機能を任意に選択することによってロックの設定を行い、操作部の操作によりロックの解除可能な機能をディスプレイに表示し、表示されたロック解除可能な機能の中からロック解除したい機能を任意に選択することによってロックの解除を行う。また、ロックの解除のための暗証番号を設定し、入力した暗証番号と設定された暗証番号との照合を行った上でロック解除したい機能を任意に選択すること。【選択図】図３
2007065585.tif 000002
【特許請求の範囲】
【請求項１】
映像を表示するディスプレイと、前記ディスプレイにおける画質調整や映像の入力経路切り替え等の各種機能を制御する機能制御部と、前記ディスプレイの各種機能のロックを設定および解除するロック状態制御部と、前記ディスプレイの各種機能のロックの情報を記憶するメモリと、を備えるディスプレイ機器であって、
前記ディスプレイ機器における操作部の操作により前記ロックの設定可能な機能を前記ディスプレイに表示し、
前記表示されたロック設定可能な機能の中からロック設定したい機能を任意に選択することによって前記ロック状態制御部でロックの設定を行い、
前記ディスプレイ機器における操作部の操作により前記ロックの解除可能な機能を前記ディスプレイに表示し、
前記表示されたロック解除可能な機能の中からロック解除したい機能を任意に選択することによって前記ロック状態制御部でロックの解除を行う
ことを特徴とするディスプレイ機器。
【請求項２】
請求項１において、
前記ロック状態制御部でのロック設定に際して、前記ロックの解除のための暗証番号を設定し、
前記ロック状態制御部でのロック解除に際して、入力した暗証番号と前記設定された暗証番号との照合を行った上で前記ロック解除したい機能を任意に選択する
ことを特徴とするディスプレイ機器。
【請求項３】
請求項２において、
前記入力した暗証番号による前記ロック解除の他に、特定のリモコンや携帯電話やＰＤＡなどの外部機器の指示による前記ロック解除を実施可能とし、
前記暗証番号による前記ロック解除か前記外部機器の指示による前記ロック解除かを選択可能とする
ことを特徴とするディスプレイ機器。
【請求項４】
請求項１において、
前記ロック状態制御部でのロック設定に際して、前記ロックの自動解除のための経過時間や電源オンオフ回数などの条件を前記操作部の操作により設定し、
前記設定されたロック自動解除条件が満たされたときに前記設定されたロックが自動的に解除される
ことを特徴とするディスプレイ機器。
【請求項５】
請求項１において、
前記操作部の操作によって、前記ディスプレイの各種機構の標準設定と前記標準設定への自動リセットの条件設定とを行い、
ディスプレイ機器への無操作状態持続時間などの自動リセット条件が満たされたときに前記各種機能を前記標準設定に自動的に戻す
ことを特徴とするディスプレイ機器。
【発明の詳細な説明】
【技術分野】
【０００１】
本発明は、映像を表示するディスプレイ機器に関し、特に、設定の変更を禁止するロック機能を備えたディスプレイ機器に関する。
【背景技術】
【０００２】
従来、ディスプレイ機器の設定を変更できないようにロックする手段として、チャイルド・ロックというものがある。これは、家庭内において子供のいたずらによってディスプレイ機器の設定が勝手に変更されないように、機器の機能全体、もしくは、あらかじめ決められた機能だけをロックするというものである。
【０００３】
一方、ロックの解除手段としては、ディスプレイ機器本体もしくはリモコンに備えられた複数のボタンを同時に押すものや、特定のボタンを長押しするものなどがある。また、ロックが勝手に解除されるのを防ぐため、ロックを掛けるときに暗証番号を設定できるものもある。
【発明の開示】
【発明が解決しようとする課題】
【０００４】
従来の技術では、ディスプレイ機器の機能を個別にロックすることはできない。このため、ロックする必要のない機能までロックされ、利用者の利便性が損なわれている。
【０００５】
また、従来の技術では、ロックの解除手段について、次に示す４つの課題が存在する。１つ目はロックの解除方法が固定されているため、解除方法を知っていれば、誰にでも容易にロックが解除できてしまうことである。２つ目は、暗証番号でロックを掛ける場合、暗証番号を忘れてしまうと、ロックを設定した当人であってもロックを解除できないことである。３つ目は、暗証番号でロックを掛ける場合、暗証番号を教えたり、盗み見られたりしないかぎり、暗証番号を設定した当人にしかロックを解除できないため、それ以外の人は正当な利用者であってもロックを解除できないことである。最後に、４つ目は、ロックが必要な期間が終了しても自動的にロックが解除できないことである。
【０００６】
さらに、従来の技術では、販売のためにディスプレイ機器を店頭に展示する場合、機器の設定が勝手に変更されないようにロックを掛けてしまうと、顧客は機器の機能を試すことができなくなってしまう。
【０００７】
本発明は、上述した種々の課題を解決するためのものであり、機能を個別にロックする手段を備えることにより必要最小限の機能だけをロックできるようにし、外部機器もしくは設定した条件により自動的にロックを解除する手段を備えることにより安全性と利便性を向上させ、さらに、設定を自動的に標準設定に戻す手段を備えることにより店頭販売でのＰＲ力を高めたディスプレイ機器を提供することを目的とする。
【課題を解決するための手段】
【０００８】
前記課題を解決するために、本発明は主として次のような構成を採用する。  
映像を表示するディスプレイと、前記ディスプレイにおける画質調整や映像の入力経路切り替え等の各種機能を制御する機能制御部と、前記ディスプレイの各種機能のロックを設定および解除するロック状態制御部と、前記ディスプレイの各種機能のロックの情報を記憶するメモリと、を備えるディスプレイ機器であって、
前記ディスプレイ機器における操作部の操作により前記ロックの設定可能な機能を前記ディスプレイに表示し、
前記表示されたロック設定可能な機能の中からロック設定したい機能を任意に選択することによって前記ロック状態制御部でロックの設定を行い、
前記ディスプレイ機器における操作部の操作により前記ロックの解除可能な機能を前記ディスプレイに表示し、
前記表示されたロック解除可能な機能の中からロック解除したい機能を任意に選択することによって前記ロック状態制御部でロックの解除を行う構成とする。
【０００９】
また、前記ディスプレイ機器において、前記ロック状態制御部でのロック設定に際して、前記ロックの解除のための暗証番号を設定し、
前記ロック状態制御部でのロック解除に際して、入力した暗証番号と前記設定された暗証番号との照合を行った上で前記ロック解除したい機能を任意に選択し、
前記入力した暗証番号による前記ロック解除の他に、特定のリモコンや携帯電話やＰＤＡなどの外部機器の指示による前記ロック解除を実施可能とし、
前記暗証番号による前記ロック解除か前記外部機器の指示による前記ロック解除かを選択可能とする構成とする。
【発明の効果】
【００１０】
本発明によると、ディスプレイ機器における機能について、ロックの設定を実施し得る機能のうちロックしたいものだけをロックすることができる。また、勝手にロックが解除されないよう暗証番号によって機能をロックした場合に、暗証番号を忘れてもロックを解除することができるようにすることができ、さらに、他の人が暗証番号によりロックを掛けた場合にも、正当な利用者であればロックを解除することもできる。
【００１１】
また、ロックしたい期間が終了すると自動的にロックを解除することができる。さらに、ディスプレイ機器の店頭販売において、ディスプレイ機器の表示状態を良好に保ちつつ、顧客がディスプレイ機器の機能を試すのを阻害することをなくすることができ、さらに、設定が変更されるたびに店員が適切な設定に調節する手間も削減できる。
【発明を実施するための最良の形態】
【００１２】
本発明の実施形態に係るディスプレイ機器における機能のロックの設定と解除について、図１〜図５を参照しながら以下詳細に説明する。図１は本発明の実施形態に係るディスプレイ機器におけるロックの設定と解除を実施し得る基本的構成を示す図である。図２は本実施形態に係るディスプレイ機器におけるロックの設定及び解除の手順を示すフローチャートである。図３は本実施形態に係るディスプレイ機器における暗証番号によるロックの設定及び解除の手順を示すフローチャートである。図４は本実施形態に係るディスプレイ機器における自動ロック解除の設定手順を示すフローチャートである。図５は本実施形態に係るディスプレイ機器における自動リセットの設定手順を示すフローチャートである。
【００１３】
図１において、１は映像を表示するためのディスプレイを表す。２はディスプレイ１を操作するためのディスプレイ操作部を表し、ディスプレイ操作部２の具体例としては、ディスプレイ機器本体に付属のボタンやリモコンなどが挙げられる。３はディスプレイ１の各種機能を制御するための機能制御部を表し、機能制御部３の具体的な機能としては、ディスプレイ１に表示する映像の明るさ、色の濃さ、色合い、黒レベルなどの設定や、入力経路の切り替えなどが挙げられる。
【００１４】
４はディスプレイ１の機能のロック状態を制御するロック状態制御部を表し、ロック状態制御部４の具体的な機能としては、ディスプレイ機器の機能のロックを設定、解除すること、および、利用者がディスプレイ操作部２によりディスプレイ機器の設定を変更するよう指示した場合に、その機能がロックされているかどうかを判断し、ロックされていない場合には、指示内容をディスプレイ操作部２に伝え、ロックされている場合には、指示内容をディスプレイ操作部２には伝えず、設定を無効とすることが挙げられる。５はディスプレイ機器の設定情報を記録するメモリを表す。
【００１５】
図２は本実施形態に係るディスプレイ機器におけるロックの設定および解除手順を表すフローチャートである。以下、図２にしたがって、ロックの設定および解除手順を説明する。
【００１６】
機能にロックを掛ける手順はステップＳ１００〜Ｓ１０１で構成され、まず、ステップＳ１００において、ロックする機能を選択する。次に、ステップＳ１０１では、ステップＳ１００で選択された機能にロックを掛ける。各機能のロック状態はメモリ５に記録され、利用者がディスプレイ操作部２により設定の変更を指示した場合に、ロック状態制御部４で設定の変更を許可するかどうかを判断するために使用される。
【００１７】
ロックを掛ける方法の具体的な実施例の１つとしては、ディスプレイ機器のリモコンに備えられた「機能ロック」ボタンを押すと、ディスプレイにロック可能な機能の一覧が表示され、一覧からロックしたい機能を選択すると選択した機能にロックが掛かるといったものが挙げられる。
【００１８】
また、機能のロックを解除する手順はステップＳ１１０〜Ｓ１１１で構成され、まず、ステップＳ１１０において、ロックを解除する機能を選択する。次に、ステップＳ１１１では、ステップＳ１１０で選択された機能のロックを解除する。ロックの解除が完了すると、メモリ５に記録されている各機能のロック状態が更新される。
【００１９】
ロックを解除する方法の具体的な実施例の１つとしては、ディスプレイ機器のリモコンに備えられた「ロック解除」ボタンを押すと、ディスプレイにロックされている機能の一覧が表示され、一覧からロックを解除したい機能を選択すると選択した機能のロックが解除されるといったものが挙げられる。このように、ディスプレイ機器における機能について、ロックの設定を実施し得る機能のうちロックしたいものだけをロックすることができる。
【００２０】
図３は本実施形態に係るディスプレイ機器における暗証番号によるロックの設定および解除手順を表すフローチャートである。以下、図３にしたがって、暗証番号によるロックの設定および解除手順を説明する。
【００２１】
暗証番号によって機能にロックを掛ける手順はステップＳ２００〜Ｓ２０２で構成され、まず、ステップＳ２００において、ロックする機能を選択する。次に、ステップＳ２０１では、ロックを解除するための暗証番号を設定する。最後に、ステップＳ２０２では、ステップＳ２００で選択された機能にロックを掛ける。各機能のロック状態およびステップＳ２０１で設定された暗証番号はメモリ５に記録される。
【００２２】
暗証番号によってロックを掛ける方法の具体的な実施例の１つとしては、ディスプレイ機器のリモコンに備えられた「機能ロック」ボタンを押すと、ディスプレイにロック可能な機能の一覧が表示され、一覧からロックしたい機能を選択するとディスプレイに暗証番号の入力を求めるメッセージが表示され、表示に従って暗証番号を入力すると選択した機能にロックが掛かるといったものが挙げられる。
【００２３】
また、暗証番号による機能のロックを解除する手順はステップＳ２１０〜Ｓ２１６で構成され、まず、ステップＳ２１０において、ロックを解除する方法を選択し、暗証番号が選択された場合はステップＳ２１１に、外部機器（例えば、携帯電話、ＰＤＡなど）が選択された場合はステップＳ２１３に進む。
【００２４】
ステップＳ２１１では、ロックを解除するための暗証番号を入力する。そして、ステップＳ２１２において、ステップＳ２１１で入力された暗証番号とステップＳ２０１で設定された暗証番号を照合し、両者が一致した場合はステップＳ２１５に進み、一致しない場合はロックの解除は失敗となる。一方、ステップＳ２１３では、ロックを解除するための特定の外部機器によりロックの解除指示を行う。そして、ステップＳ２１４において、解除指示が正当なものであるかを確認し、正当なものである場合はステップＳ２１５に進み、不当なものである場合はロックの解除は失敗となる。
【００２５】
そして、ステップＳ２１５ではロックを解除する機能を選択する。最後に、ステップＳ２１６では、ステップＳ２１５で選択された機能のロックを解除する。ロックの解除が完了すると、メモリ５に記録されている各機能のロック状態が更新される。
【００２６】
暗証番号によるロックを解除する方法の具体的な実施例の１つとしては、ディスプレイ機器のリモコンに備えられた「ロック解除」ボタンを押すとディスプレイにロックの解除方法の選択を求めるメッセージが表示され、外部機器による解除を選択するとディスプレイに外部機器によるロックの解除指示待ちであることを示すメッセージが表示され、ロック解除用の外部機器によりロックの解除指示を送信すると、ディスプレイにロックされている機能の一覧が表示され、一覧からロックを解除したい機能を選択すると選択した機能のロックが解除されるといったものが挙げられる。
【００２７】
ロックを解除するための外部機器としては、ディスプレイ機器のリモコンの他に、特定のリモコン、携帯電話、ＰＤＡなどが挙げられ、これらの外部機器に専用のソフトウェアをインストールすることにより、ディスプレイ機器に解除指示を出せるようにするなどの実施方法が挙げられる。
【００２８】
図４は本実施形態に係るディスプレイ機器における自動ロック解除の設定手順を表すフローチャートである。以下、図４にしたがって、自動ロック解除の設定手順を説明する。
【００２９】
自動ロック解除の設定手順はステップＳ３００〜Ｓ３０２で構成され、まず、ステップＳ３００において、ロックする機能を選択する。次に、ステップＳ３０１では、ステップＳ３００で選択された機能にロックを掛ける。最後に、ステップＳ３０２では、ロックを自動解除する条件を設定する。各機能のロック状態およびステップＳ３０２で設定されたロック解除条件はメモリ５に記録され、ロック解除条件が満たされると、ロック制御部４により自動的にロックが解除される。そして、ロックが解除されると、メモリ５に記録されている各機能のロック状態が更新される。
【００３０】
ロックを自動解除する条件を設定する方法の具体的な実施例の１つとしては、ディスプレイ機器のリモコンを操作して機能にロックを掛けると、ディスプレイにロックを自動解除する条件の入力を求めるメッセージが表示され、指示に従って条件を入力すると、ロックを自動解除する条件が設定されるといったものが考えられる。ロックを自動解除する条件の具体例としては、「３０日後」、「電源ＯＮの回数が１００回に達したとき」などが挙げられる。
【００３１】
図５は本実施形態に係るディスプレイ機器における自動リセットの設定手順を表すフローチャートである。以下、図５にしたがって、自動リセットの設定手順を説明する。
【００３２】
自動リセットの設定手順はステップＳ４００〜Ｓ４０１で構成され、まず、ステップＳ４００において、リセット時に使用する標準設定を登録する。次に、ステップＳ４０１では、自動リセットを行う条件を設定する。ステップＳ４００で登録された標準設定およびステップＳ４０１で設定された自動リセット条件はメモリ５に記録され、自動リセット条件が満たされると、機能制御部３により標準設定に自動的に戻される。
【００３３】
自動リセットの設定を行う方法の具体的な実施例の１つとしては、リモコンの「メニュー」ボタンを押すとディスプレイにメニューが表示され、その中から「自動リセットの設定」を選択すると「標準設定の登録」および「自動リセット条件設定」というメニューが表示され、それぞれの設定が行えるといったものが挙げられる。自動リセットを行う条件の具体例としては、「電源がＯＦＦされたとき」、「無操作状態が３０秒続いたとき」などが挙げられる。
【００３４】
従来、販売のために店頭に展示されているディスプレイでは、顧客によってディスプレイの表示状態が販売に支障をきたすような状況に変更され、そのまま放置されている場合があった。そして、これを防止するためにディスプレイ機器の設定を変更できないようロックを掛けると、顧客がその設定の効果を確認することができなかった。
【００３５】
一方、本発明では、標準の設定として販売のために最適な設定を登録し、無操作状態が３０秒続いたときに自動リセットが行われるよう設定しておけば、顧客が効果を確認するために設定を変更し、そのまま放置してしまった場合にも、３０秒後には自動的に最適な設定に戻すことができる。その結果、ディスプレイ機器の性能を充分にＰＲすることができ、販売が促進される効果を期待できる。また、設定が変更される度に店員が適切な設定に調節する手間も削減することができる。
【図面の簡単な説明】
【００３６】
【図１】本発明の実施形態に係るディスプレイ機器におけるロックの設定と解除を実施し得る基本的構成を示す図である。
【図２】本実施形態に係るディスプレイ機器におけるロックの設定及び解除の手順を示すフローチャートである。
【図３】本実施形態に係るディスプレイ機器における暗証番号によるロックの設定及び解除の手順を示すフローチャートである。
【図４】本実施形態に係るディスプレイ機器における自動ロック解除の設定手順を示すフローチャートである。
【図５】本実施形態に係るディスプレイ機器における自動リセットの設定手順を示すフローチャートである。
【符号の説明】
【００３７】
１  ディスプレイ
２  ディスプレイ操作部
３  機能制御部
４  ロック状態制御部
５  メモリ
【図１】
2007065585.tif 000003
【図２】
2007065585.tif 000004
【図３】
2007065585.tif 000005
【図４】
2007065585.tif 000006
【図５】
2007065585.tif 000007